(57)【要約】【課題】ジャム用紙、サンプルプリント用紙、パージシートなど、流通を防止するべきであるが印刷出力を制限することができない印刷物の不正な流通を防止することが可能な画像形成システム、印刷規制プログラム、画像形成装置、及び管理装置を提供する。【解決手段】印刷出力を制限すべき事象が発生すると、当該事象によって発生したパージシートやジャム用紙、サンプルプリント用紙などの用紙が廃棄処理されるまで印刷出力を規制し、当該用紙が廃棄された後に規制を変更し、ユーザが所望する印刷物の印刷出力を可能とする。  【選択図】  図１
2008018717.tif 000002
【特許請求の範囲】
【請求項１】
記録媒体に印刷情報の印刷を行う印刷手段と、
前記印刷手段により行われる印刷情報の印刷を規制する規制手段と、
前記印刷手段により印刷情報の印刷が行われた記録媒体を廃棄処理する廃棄手段と、
前記廃棄手段により記録媒体が廃棄処理された場合に、前記規制手段による規制を変更する制御を行う制御手段と、
を具備すること特徴とする印刷システム。
【請求項２】
前記規制手段は、前記印刷手段による印刷を不可とする規制を行うものであり、
前記制御変更手段は、前記廃棄手段により記録媒体が廃棄処理された場合に、前記規制を変更して前記印刷手段による印刷を可とする変更を行う
ことを特徴とする請求項１記載の印刷システム。
【請求項３】
前記制御手段は、前記廃棄手段により廃棄処理された記録媒体の印刷情報に対する前記規制手段による印刷の規制を変更することを特徴とする請求項１又は２記載の印刷システム。
【請求項４】
前記印刷手段は、記録媒体に印刷情報を識別する識別情報を付加して印刷し、
前記規制手段により記録媒体への印刷を規制するための規制対象事象が発生したか否かを検出する検出手段と、
前記検出手段により規制対象事象の発生を検出した場合に、前記規制対象事象に対応した印刷情報を識別する識別情報を格納する格納手段と、を有し、
前記制御手段は、前記格納手段に格納された識別情報が識別する印刷情報に対する前記規制手段による規制を変更する制御を行うことを特徴とする請求項１又は２記載の印刷システム。
【請求項５】
前記印刷手段は、前記廃棄手段により記録媒体が廃棄処理された場合に、該印刷手段による印刷の終了後、前記規制手段による規制が変更された印刷情報の印刷を行うことを特徴とする請求項４記載の印刷システム。
【請求項６】
前記廃棄手段は、前記廃棄手段で廃棄処理される記録媒体から印刷情報を識別する識別情報を取得する取得手段を具備し、
前記制御手段は、前記格納手段に格納されている識別情報が前記取得手段で取得されると、該識別情報が識別する印刷情報に対応した記録媒体が廃棄されたと判断して前記規制手段による規制を変更する
ことを特徴とする請求項４記載の印刷システム。
【請求項７】
前記規制手段による規制の変更指示を受け付ける変更指示受付手段をさらに具備し、
前記規制変更手段は、前記規制手段による規制の変更指示を前記変更指示受付手段で受け付けると前記規制手段による規制を変更する
ことを特徴とする請求項６記載の印刷システム。
【請求項８】
前記規制手段は、前記印刷手段により印刷が開始されるときに、前記格納手段に格納された識別情報が識別する印刷情報の印刷を規制することを特徴とする請求項１乃至７のいずれか１つに記載の印刷システム。
【請求項９】
前記規制対象事象が発生すると、所定の通知先に通知する通知手段をさらに具備することを特徴とする請求項１乃至１１記載の印刷システム。
【請求項１０】
記録媒体に印刷情報の印刷を行う印刷ステップと、
前記印刷ステップにより行われる印刷情報の印刷を規制する規制ステップと、
前記印刷ステップにより印刷情報の印刷が行われた記録媒体を廃棄処理する廃棄ステップと、
前記廃棄ステップにより記録媒体が廃棄処理された場合に、前記規制手段による規制を変更する規制変更ステップと、
をコンピュータに実行させるためのプログラム。
【請求項１１】
記録媒体に印刷情報の印刷を行う印刷手段と、
前記印刷手段により行われる印刷情報の印刷を規制する規制手段と、
前記印刷手段により印刷情報の印刷が行われた記録媒体が廃棄処理された場合に、前記規制手段による規制を変更する規制変更手段と、
を具備すること特徴とする印刷装置。
【請求項１２】
記録媒体に印刷情報の印刷を行う印刷ステップと、
前記印刷ステップにより行われる印刷情報の印刷を規制する規制ステップと、
前記印刷ステップにより印刷情報の印刷が行われた記録媒体を廃棄処理された場合に、前記規制手段による規制を変更する規制変更ステップと、
を印刷装置のコンピュータに実行させるための印刷装置用プログラム。
【請求項１３】
記録媒体に印刷情報の印刷を行う印刷手段により行われる印刷情報の印刷を規制する規制手段と、
前記印刷手段により印刷情報の印刷が行われた記録媒体を廃棄処理された場合に、前記規制手段による規制を変更する規制変更手段と、
を具備すること特徴とする管理装置。
【請求項１４】
記録媒体に印刷情報の印刷を行う印刷手段により行われる印刷情報の印刷を規制する規制手段と、
前記印刷手段により印刷情報の印刷が行われた記録媒体を廃棄処理された場合に、前記規制手段による規制を変更する規制変更手段と、
を管理装置のコンピュータに実行させるための管理装置用プログラム。
【発明の詳細な説明】
【技術分野】
【０００１】
本発明は、印刷システム、プログラム、印刷装置、印刷装置用プログラム、管理装置、及び管理装置用プログラムに関する。
【背景技術】
【０００２】
カラー複写機やカラープリンタなどの高品質化および多機能化に伴って、高画質かつ高速な文書の複製や配信が可能となる一方、機密文書や個人情報などの漏洩が問題となっている。
【０００３】
そして、例えば、個人情報が印刷された請求書など、機密性の高い文書の印刷出力回数を制限して、同じ内容の印刷物が際限なく印刷出力されることを防止することにより、このような文書が不正に流通することを可及的に防ぐ印刷装置が知られている。
【０００４】
また、印刷出力された画像データと入力された画像データが一致するか否かの判断を行い、一致しない場合は印刷物を細かく裁断して不必要な印刷物の印刷出力を防止する方法（例えば、特許文献１参照）や、印刷物の画像を塗り潰して出力する方法なども知られている。
【特許文献１】特開2005-59248号公報
【発明の開示】
【発明が解決しようとする課題】
【０００５】
本発明では、ジャム用紙、サンプルプリント用紙、パージシートなど、流通を防止するべきである印刷物の不正な流通を防止することが可能な印刷システム、プログラム、印刷装置、印刷装置用プログラム、管理装置、及び管理装置用プログラムを提供することを目的とする。
【課題を解決するための手段】
【０００６】
本願請求項１記載の発明における印刷システムは、記録媒体に印刷情報の印刷を行う印刷手段と、前記印刷手段により行われる印刷情報の印刷を規制する規制手段と、前記印刷手段により印刷情報の印刷が行われた記録媒体を廃棄処理する廃棄手段と、前記廃棄手段により記録媒体が廃棄処理された場合に、前記規制手段による規制を変更する制御を行う制御手段と、を具備すること特徴とする。
【０００７】
また、前記規制は、前記印刷手段による印刷を不可とする規制を行うものであり、前記制御変更手段は、前記廃棄手段により記録媒体が廃棄処理された場合に、前記規制を変更して前記印刷手段による印刷を可とする変更を行うことが望ましい。
【０００８】
また、前記制御手段は、前記廃棄手段により廃棄処理された記録媒体の印刷情報に対する前記規制手段による印刷の規制を変更することが望ましい。
【０００９】
また、前記印刷手段は、記録媒体に印刷情報を識別する識別情報を付加して印刷し、前記規制手段により記録媒体への印刷を規制するための規制対象事象が発生したか否かを検出する検出手段と、前記検出手段により規制対象事象の発生を検出した場合に、前記規制対象事象に対応した印刷情報を識別する識別情報を格納する格納手段と、を有し、前記制御手段は、前記格納手段に格納された識別情報が識別する印刷情報に対する前記規制手段による規制を変更する制御を行うことが望ましい。
【００１０】
また、前記印刷手段は、前記廃棄手段により記録媒体が廃棄処理された場合に、該印刷手段による印刷の終了後、前記規制手段による規制が変更された印刷情報の印刷を行うことが望ましい。
【００１１】
また、前記廃棄手段は、前記廃棄手段で廃棄処理される記録媒体から印刷情報を識別する識別情報を取得する取得手段を具備し、前記制御手段は、前記格納手段に格納されている識別情報が前記取得手段で取得されると、該識別情報が識別する印刷情報に対応した記録媒体が廃棄されたと判断して前記規制手段による規制を変更することが望ましい。
【００１２】
また、前記規制手段による規制の変更指示を受け付ける変更指示受付手段をさらに具備し、前記規制変更手段は、前記規制手段による規制の変更指示を前記変更指示受付手段で受け付けると前記規制手段による規制を変更することが望ましい。
【００１３】
また、前記規制手段は、前記印刷手段により印刷が開始されるときに、前記格納手段に格納された識別情報が識別する印刷情報の印刷を規制することが望ましい。
【００１４】
また、前記規制対象事象が発生すると、所定の通知先に通知する通知手段をさらに具備することが望ましい。
【００１５】
次に、本発明におけるプログラムは、記録媒体に印刷情報の印刷を行う印刷ステップと、前記印刷ステップにより行われる印刷情報の印刷を規制する規制ステップと、前記印刷ステップにより印刷情報の印刷が行われた記録媒体を廃棄処理する廃棄ステップと、前記廃棄ステップにより記録媒体が廃棄処理された場合に、前記規制手段による規制を変更する規制変更ステップと、をコンピュータに実行させること特徴とする。
【００１６】
本発明における印刷装置は、記録媒体に印刷情報の印刷を行う印刷手段と、前記印刷手段により行われる印刷情報の印刷を規制する規制手段と、前記印刷手段により印刷情報の印刷が行われた記録媒体が廃棄処理された場合に、前記規制手段による規制を変更する規制変更手段と、を具備すること特徴とする。
【００１７】
本発明における印刷装置用プログラムは、記録媒体に印刷情報の印刷を行う印刷ステップと、前記印刷ステップにより行われる印刷情報の印刷を規制する規制ステップと、前記印刷ステップにより印刷情報の印刷が行われた記録媒体を廃棄処理された場合に、前記規制手段による規制を変更する規制変更ステップと、を印刷装置のコンピュータに実行させることを特徴とする。
【００１８】
本発明における管理装置は、記録媒体に印刷情報の印刷を行う印刷手段により行われる印刷情報の印刷を規制する規制手段と、前記印刷手段により印刷情報の印刷が行われた記録媒体を廃棄処理された場合に、前記規制手段による規制を変更する規制変更手段と、を具備することを特徴とする。
【００１９】
本発明における管理装置用プログラムは、記録媒体に印刷情報の印刷を行う印刷手段により行われる印刷情報の印刷を規制する規制手段と、前記印刷手段により印刷情報の印刷が行われた記録媒体を廃棄処理された場合に、前記規制手段による規制を変更する規制変更手段と、を管理装置のコンピュータに実行させることを特徴とする。
【発明の効果】
【００２０】
本願請求項１に記載の発明では、流通を防止するべきである印刷物の不正な流通を防止することができる。
【００２１】
本願請求項２に記載の発明では、廃棄処理が行われた場合に、印刷不可の状態から印刷可の状態に変更することにより、流通を防止するべきである印刷物の不正な流通を防止することができる。
【００２２】
本願請求項３に記載の発明では、廃棄処理された記録媒体の印刷情報に対する規制を変更することにより、廃棄処理された記録媒体の印刷情報の印刷を行うことができる。
【００２３】
本願請求項４に記載の発明では、簡単な構成で、流通を防止するべきである印刷物と同じ印刷情報の印刷の規制を変更することができる。
【００２４】
本願請求項５に記載の発明では、廃棄手段により記録媒体が廃棄処理された場合に、印刷を制限することが容易でない印刷物と同じ内容の印刷情報の印刷を容易に行うことができる。
【００２５】
本願請求項６に記載の発明では、簡単な構成で、印刷を制限することが容易でない印刷物が廃棄処理されたことを認識することができる。
【００２６】
本願請求項７に記載の発明では、規制手段による規制の変更指示を変更指示受付手段により行うことができることにより、例えば、取得手段により記録媒体の識別情報が取得できない場合に、流通を防止するべきである印刷物と同じ印刷情報の印刷の規制を変更することができる。
【００２７】
本願請求項８に記載の発明では、簡単な構成で、流通を防止するべきである印刷物と同じ印刷情報の印刷の規制を行うことができる。
【００２８】
本願請求項９に記載の発明では、流通を防止するべきである印刷物と同じ印刷情報の印刷の規制が行われたことを、ユーザに通知することができる。
【００２９】
本願請求項１０に記載の発明では、流通を防止するべきである印刷物の不正な流通を防止することができるプログラムを提供できる。
【００３０】
本願請求項１１に記載の発明では、流通を防止するべきである印刷物の不正な流通を防止することができる印刷装置を提供できる。
【００３１】
本願請求項１２に記載の発明では、流通を防止するべきである印刷物の不正な流通を防止することができる管理装置用プログラムを提供できる。
【００３２】
本願請求項１３に記載の発明では、流通を防止するべきである印刷物の不正な流通を防止することができる印刷装置用プログラムを提供できる。
【００３３】
本願請求項１４に記載の発明では、流通を防止するべきである印刷物の不正な流通を防止することができる管理装置を提供できる。
【発明を実施するための最良の形態】
【００３４】
以下、本発明を実施するための最良の形態について、添付図面を参照して詳細に説明する。なお、以下に示す本発明を実施するための形態は、本発明の具体的態様の一例であり、当該形態に限定されるものではない。
【実施例１】
【００３５】
図１は、本実施例に係る画像形成システムの構成の一例を示す機能ブロック図である。同図に示すように本実施例に係る画像形成システムは、画像形成装置１０と、廃棄装置２０とを具備して構成され、ＬＡＮ(Local Area Network)などのネットワークやＵＳＢ(Universal Serial Bus)、シリアルケーブルなどの、図示しない有線又は無線の通信手段を介して接続されている。
【００３６】
また、画像形成装置１０は、用紙等の記録媒体に画像情報等の印刷情報の印刷を行う印刷装置として機能し、画像形成部１１と、識別子検出部１２と、識別子付与部１３と、搬出検出部１４と、識別子格納部１５と、規制変更指示部１６と、制御部１７と、通信部１８とを具備して構成されている。
【００３７】
画像形成部１１は、紙やプラスチック製のフィルムなど、画像を形成する任意の記録媒体（用紙）を、図示しない給紙トレイから給紙して画像を形成し、画像を形成した用紙を図示しない排紙トレイに排紙する。
【００３８】
識別子検出部１２は、画像形成部１１で画像を形成する用紙から、当該用紙を識別することが可能な情報である識別子を取得する。具体的には、例えば、給紙トレイから画像形成部１１に用紙を搬送する搬送路上、又は給紙トレイに設置され、搬送路を通過する用紙をスキャニングして、用紙に印刷されている識別子を示す情報（バーコードや二次元コードなどのコード情報や英数字など）を読み取ると共に、解析処理（コード情報の解析やＯＣＲ(Optical Character Reader)処理など）を行って識別子を取得する。また、用紙がＲＦＩＤ(Radio Frequency Identification)や磁気ワイヤなどの無線タグを備えている場合は、無線タグリーダを用いて無線タグから識別子を取得してもよい。
【００３９】
識別子付与部１３は、画像形成部１１で画像を形成する用紙に識別子を付与する。具体的には、例えば、画像形成部１１に搬送される用紙に識別子を割り当てると共に、当該用紙に割り当てた識別子を記録するための処理を行う。
【００４０】
用紙に識別子を記録する方法としては、例えば、英数字などから識別子や、バーコードや２次元コードなどのコード情報に変換した識別子の印刷を画像形成部１１に指示して、用紙の所定の位置に識別子を画像形成する方法など、用紙に付与した識別子を当該用紙に記録することが可能な任意の方法を用いることができ、用紙が無線タグを備えている場合は、無線タグライタを用いて用紙に識別子を記録してもよい。また、搬送路上に識別子を印刷することが可能な画像形成部を設け、当該画像形成部で用紙に識別子を画像形成してもよい。
【００４１】
搬出検出部１４は、図示しない排紙トレイ（スタッカ）に排出された用紙の識別子を取得する。具体的には、例えば、画像形成部１１から排紙トレイに用紙を搬送する搬送路上、又は排紙トレイに設置され、搬送路を通過、又は排紙トレイに排出された用紙をスキャニングして用紙に印刷されている識別子を示す情報を読み取ると共に、解析処理を行って識別子を取得する。また、用紙が無線タグを備えている場合は、無線タグリーダを用いて識別子を取得してもよい。
【００４２】
識別子格納部１５は、用紙の識別子を格納する。具体的には、例えば、画像形成部１１に搬送された用紙の識別子（識別子検出部１２で検出した識別子、又は識別子付与部１３で付与した識別子）を格納し、排紙トレイに排出された用紙の識別子（搬出検出部１４で検出した識別子）を削除する。
【００４３】
規制変更指示部１６は、規制を変更する権限を備えたユーザ（管理者）から、規制の変更指示を受け付けるための処理を行う。具体的には、例えば、図２に示すように、図示しないタッチパネルやディスプレイなどの表示端末にＵＩ(User Interface)を表示し、タッチパネル上で直接、又はキーボードやマウスなどの操作端末を用いてＩＤ（識別子）やパスワードなどの情報が入力され、管理者について登録されている情報などを用いて管理者であると判断すると、規制の変更指示を受け付ける。
【００４４】
制御部１７は、図示しない記憶装置に格納されてプログラムを用いて、画像形成部１１、識別子検出部１２、搬出検出部１４、識別子格納部１５、通信部１８など、画像形成装置１０全体を制御するための処理を行う。具体的には、印刷出力を規制する規制対象事象が発生すると、印刷出力を規制し、規制対象事象によって発生した印刷物（廃棄対象用紙）が廃棄されると規制を変更する。
【００４５】
ここで規制対象事象とは、例えば、ジャム用紙やパージシート、サンプルプリント用紙など、不要な印刷物が流通することを防止するためには印刷出力を規制すべきであるが規制できない印刷物が発生するジャムやパージ、サンプルプリントなどの事象であり、例えば、管理者がＵＩを用いて規制の対象となる事象を選択するなど、制御部１７で印刷出力を規制する事象を任意の方法を用いて設定するように構成してもよい。
【００４６】
また、印刷出力を規制する方法は、画像形成部１１に対する印刷指示を行わないなど、印刷出力自体を妨げる方法に限られるものではなく、例えば、印刷物の塗り潰しを指示する方法や、代わりとなる印刷情報（規制中である旨を表示するものなど）に基づく画像形成を画像形成部１１に指示する方法、シュレッダなどの裁断装置を備え、印刷物を自動的に裁断することが可能な場合は、印刷物の裁断を指示する方法など、ユーザが意図する印刷物（請求書など）の情報を容易に認識することが困難な状態で印刷出力する方法であれば、任意の方法を用いて規制を行うことができる。
【００４７】
通信部１８は、ジャムやパージ、サンプルプリントなどの規制対象事象が発生したことを所定の通知先に通知する。具体的には、例えば、図３に示すように、ユーザから印刷指示を受け付けるＵＩで、管理者などに通知する情報（規制対象事象）の選択や、通知先に関する情報（管理者のメールアドレスなど）の入力を受け付け、選択された事象（通知情報）が発生すると、当該事象の発生を通知先に通知する。なお、管理者などに通知する項目や通知先の設定は、他のＵＩを用いて予め設定しておくなど、印刷指示のＵＩ以外で設定するように構成してもよく、また、音声ガイダンスなどで規制対象事象の発生を通知することが可能な場合は、通知先として電話番号を設定するなど、所望の情報を所望の通知先に通知することが可能な任意の方法を用いることができる。
【００４８】
なお、画像形成装置１０は、ＲＡＭ(Random Access Memory)やＲＯＭ(Read Only Memory)、ＨＤＤ(Hard Disk Drive)などの記憶装置と、ＣＰＵ(Central Processing Unit)などの演算装置とを備え、識別子付与部１３、規制変更指示部１６、制御部１７は、記憶装置に格納されているプログラムを演算装置で順次読み出して処理することにより実現されるものである。また、プログラムは、ＣＤＲＯＭ(Compact Disk Read Only Memory)などの記憶媒体に格納して提供することや、ネットワークなどの通信手段を介して提供することが可能である。
【００４９】
上記構成を用いて本実施例における画像形成装置１０は、図示しない操作端末でユーザなどから印刷指示を受け付けると、制御部１７は、画像形成部１１に印刷出力を指示し、画像形成部１１は、給紙トレイから用紙を給紙し、識別子検出部１２は、画像形成部１１に搬送される用紙から識別子を検出し、制御部１７は、識別子検出部１２で検出した識別子を識別子格納部１５に格納する。
【００５０】
ここで、識別子検出部１２で識別子を検出することができなかった場合は、識別子付与部１３で識別子を付与し、識別子付与部１３で付与された識別子を識別子格納部１５に格納する。なお、用紙が予め識別子を備えているか否かに関わらず、識別子付与部１３で識別子を付与してもよいし、画像情報内に識別子を付与する構成とすることもできる。
【００５１】
そして、画像形成部１１は、用紙に画像を形成して排紙トレイに排紙し、搬出検出部１４は、画像が形成された用紙から識別子を検出し、制御部１７は、検出した識別子を排紙管理部１５から削除する。
【００５２】
一方、印刷出力を規制する規制対象事象が画像形成部１１で発生すると、制御部１７は、印刷出力の規制をする。そして、制御部１７は、廃棄装置２０から識別子を受信すると、当該識別子を識別子格納部１５から削除し、規制対象事象の発生に伴って識別子格納部１５から消去されずに格納されたままの識別子を全て削除すると、規制を変更して印刷出力を可能とする。
【００５３】
なお、印刷出力の規制中に規制変更指示部１６で規制の変更指示を受け付けると、制御部１７は、規制対象事象の発生に伴って識別子格納部１５から消去されずに格納されたままの識別子を全て削除すると共に、規制を変更して印刷出力を可能とする。
【００５４】
つまり、ジャム用紙やパージシートでは、用紙の識別子を取得することが困難な可能性があるため、規制変更指示部１６を設けて、強制的に規制を変更して印刷出力を行う手段が必要となる。
【００５５】
ここで、規制対象事象の一つであるジャムの発生を検出する方法としては、例えば、プリンタや印刷機などの画像形成装置で紙詰まりの検出に用いられている周知の方法など、任意の方法を用いて検出することが可能である。
【００５６】
また、ジャム発生時にジャム用紙とみなす用紙の範囲（ジャム用紙とみなす用紙が存在する位置の範囲）は、識別子検出部１２又は識別子付与部１３と搬出検出部１４との間（搬送路と排紙トレイの間）に限られるものではなく、例えば、用紙に画像を転写する転写部と、用紙に転写された画像を定着させる定着部との間など任意の範囲を設定することが可能である。
【００５７】
ジャム用紙とみなす範囲を設定する方法としては、例えば、規制変更指示部１６でＵＩなどを用いて範囲の設定を受け付け、識別子格納部１５に通知する方法など、任意の方法を用いることができる。
【００５８】
画像形成部１１内の用紙の位置を判断する方法としては、例えば、識別子を検出するセンサーなどを画像形成部内に設け、識別子の検出結果に基づいて位置を判断する方法や、用紙を搬送するタイミングに基づいて位置を判断する方法など、任意の方法を用いることができる。
【００５９】
規制対象事象の一つであるサンプルプリントの印刷出力を検出する方法としては、例えば、ユーザによるサンプルプリントの印刷指示をきっかけとする方法や、サンプルプリント用紙を排紙するサンプルプリント排紙トレイにセンサなどを設けて検出する方法など、サンプルプリントの印刷出力を検出することが可能な任意の方法を用いることが可能である。
【００６０】
また、サンプルプリント排紙トレイに、識別子を検出することが可能なセンサなどを設け、当該トレイに用紙が排紙されると規制を行い、当該トレイに排紙された用紙から検出された識別子を廃棄装置２０から受信すると規制を変更するように構成してもよい。
【００６１】
規制対象事象であるパージの発生を検出する方法としては、画像形成のタイミングと紙送りのタイミングのズレから印字ズレを判断してパージシート（印字ズレの用紙）の発生を検出する方法や、ジャムの発生をきっかけとして、ジャム用紙の除去後に、定着部などに残っているトナーを除去するために画像形成部内を通過させる所定枚数の用紙をパージして検出する方法、パージシートを排紙するパージトレイにセンサなどを設けて検出する方法など、パージシートの印刷出力を検出することが可能な任意の方法を用いることが可能である。
【００６２】
また、パージトレイに、識別子を検出することが可能なセンサなどを設け、当該トレイに用紙が排紙されると規制を行い、当該トレイに排紙された用紙から検出された識別子を廃棄装置２０から受信すると規制を変更するように構成してもよい。
【００６３】
さらに、識別子検出部１２で検出した識別子、又は識別子付与部１３で付与した識別子と、搬出検出部１４で検出した識別子を時系列順に比較し、識別子の検出順に狂いが発生すると、識別子検出部１２で検出、又は識別子付与部１３で付与した識別子であって、搬出検出部１４で検出されてない識別子をパージシートの識別子と判断してもよい。なお、時系列順に識別子を比較する方法は、パージシートのみならず、ジャム用紙やサンプルプリントなど、規制対象事象の種類に関係なく、発生を検出することができる。
【００６４】
廃棄装置２０は、用紙を裁断するシュレッダなど、用紙を廃棄処理する機能を備えた廃棄装置であり、廃棄検出部２１を具備して構成されている。
【００６５】
廃棄検出部２１は、用紙の識別子を取得する。具体的には、例えば、用紙を投入する投入部から、用紙を廃棄処理する廃棄処理部に用紙を搬送する搬送路上に設置され、搬送される用紙をスキャニング・解析して識別子を検出する。なお、用紙が無線タグを備えている場合は、無線タグリーダを用いて識別子を検出してもよい。さらに、廃棄処理後の用紙から識別子を検出することが可能な場合は、廃棄処理された用紙から識別子を検出してもよい。
【００６６】
上記構成を用いて本実施例における廃棄装置２０は、廃棄検出部２１で用紙から識別子を取得し、当該用紙を廃棄処理すると共に、廃棄検出部２１で取得した識別子を画像形成装置１０に通知する。
【００６７】
上記構成を用いて本実施例における画像形成システムは、画像形成装置１０の画像形成部１１でジャムやパージ、サンプルプリントなどの規制対象事象が発生すると、制御部１７で印刷出力を規制し、ジャム用紙やパージシート、サンプルプリント用紙など、規制対象事象に伴って発生した印刷物（廃棄対象用紙）が廃棄装置２０で廃棄されると、制御部１７で規制を変更する。
【００６８】
なお、図１では、画像形成装置と廃棄装置をシリアルケーブルなどの有線又は無線の通信手段で接続して画像処理システムを構成しているが、廃棄装置としての機能、すなわち、用紙を廃棄処理する廃棄処理部（図示しない）、及び廃棄検出部を画像形成装置内に設けてもよい（図４参照）。
【００６９】
図５は、本実施例における画像形成装置の処理の流れの一例を示すフローチャートである。
【００７０】
まず、印刷出力の指示を受け付ける（ステップ１００）と、識別子格納部１５を検索して、格納中の識別子があるか否かの判断を行い（ステップ１０１）、格納中の識別子があると判断する（ステップ１０１でＹＥＳ）と、処理を終了し、格納中の識別子がないと判断する（ステップ１０１でＮＯ）と、画像形成部１１に搬送される用紙から識別子検出部１２で識別子を検出し（ステップ１０２でＹＥＳ）、識別子格納部１５に識別子を格納する（ステップ１０３）。
【００７１】
一方、ステップ１０２で識別子が検出されない（ステップ１０２でＮＯ）と、識別子付与部１３で用紙に識別子を付与すると共に、用紙に識別子を記録するための処理を行い（ステップ１０４）、用紙に付与した識別子を識別子格納部１５に格納する（ステップ１０３）。
【００７２】
次に、画像形成部１１で印刷出力を開始して（ステップ１０５）、規制対象事象の発生を監視し（ステップ１０６）、規制対象事象（ジャムやパージ、サンプルプリントなど）が発生することなく、印刷出力が行われる（ステップ１０７）と、搬出検出部１４で用紙の識別子を検出し、搬出検出部１４で検出した識別子を識別子格納部１５から削除する（ステップ１０８）。
【００７３】
そして、引き続いて印刷出力を行う場合（ステップ１０９でＮＯ）は、画像形成部１１に搬送される用紙から識別子検出部１２で識別子の検出を行い（ステップ１０２）、印刷出力が完了した場合（ステップ１０９でＹＥＳ）は、処理を終了する。
【００７４】
一方、ステップ１０６でサンプルプリントやパージを検出する（ステップ１１０）と、サンプルプリントやパージの発生を所定の通知先に通知する通知設定があるか否かの判断を行い（ステップ１１１）、通知設定がある場合（ステップ１１１でＹＥＳ）は、通信部１８で所定の通知先にパージの発生などを通知して（ステップ１１２）、処理を終了し、通知設定がない場合（ステップ１１１でＮＯ）は、画像形成を停止する（ステップ１１３）。
【００７５】
また、ステップ１０６でジャムが発生する（ステップ１１４）と、画像形成を停止する（ステップ１１３）。
【００７６】
そして、規制変更指示部１６で規制を変更する旨の指示を受け付ける（ステップ１１５でＹＥＳ）と、識別子格納部１５に格納されている識別子を削除し（ステップ１１６）、画像形成停止を解除する（ステップ１１７）。
【００７７】
一方、ステップ１１５で規制変更指示を受けず（ステップ１１５でＮＯ）に、廃棄装置２０から識別子を受信する（ステップ１１８）と、廃棄装置２０から受信した識別子と、識別子格納部１５に格納されている識別子とが一致するか否かの判断を行い（ステップ１１９）、識別子が一致しないと判断する（ステップ１１９でＮＯ）と、規制変更指示の受け付けを待ち（ステップ１１５）、識別子が一致すると判断する（ステップ１１９でＹＥＳ）と、当該識別子を識別子格納部１５から削除し（ステップ１２０）、識別子格納部１５に識別子が残っている場合（未処理用紙あり）（ステップ１２１でＹＥＳ）は、規制変更指示の受け付けを待ち（ステップ１１５）、識別子格納部１５に識別子が残っていない場合（未処理の用紙がなし）（ステップ１２１でＮＯ）は、画像形成停止を解除する（ステップ１１７）。
【００７８】
なお、本実施例では、ジャム、パージ、サンプルプリントを用いて、規制対象事象発生時の処理について説明したが、規制対象事象はこれらに限られるものではなく、流通を防止するべきである任意の印刷物の発生を規制対象事象の発生として、パージシート及びサンプルプリント用紙、又はジャム用紙と同様に処理を行うことにより、印刷出力を規制することができる。
【００７９】
また、本実施例では、画像形成部１１で印刷出力を行う度に、ステップ１０２で用紙から識別子を検出しているが、複数の用紙から予め識別子を取得して、印刷出力を行うことも可能であり、この際には、ステップ１０９で印刷出力が完了していない（ステップ１０９でＮＯ）と判断した後、ステップ１０６で規制対象事象の発生を監視してもよい。
【００８０】
さらに、用紙からの識別子を取得する処理と、画像を形成する処理を同時に行うことが可能な場合は、ステップ１０２乃至１０５の処理と、ステップ１０５以降の処理を並行して行ってもよい。
【００８１】
加えて本実施例では、規制対象事象の種類や通知設定に基づいて処理を異ならせているが、例えば、ステップ１０６で規制対象事象の発生を検出すると、通知設定の有無を判断し（ステップ１１１）、必要に応じて通知を行い（ステップ１１２）、印刷出力を規制する（ステップ１１３）など、規制対象事象の種類や通知設定の有無に関わらず、同様の処理を行ってもよい。
【００８２】
図６は、本実施例における廃棄装置（シュレッダ）の処理の流れの一例を示すフローチャートである。
【００８３】
まず、用紙が挿入される（ステップ２００）と、廃棄検出部２１で用紙から識別子を取得し（ステップ２０１）、用紙を細かく裁断するなどの廃棄処理を行う（ステップ２０２）。
【００８４】
次に、ステップ１１０で識別子を検出している（ステップ２０３でＹＥＳ）と、画像形成装置１０に識別子を通知し（ステップ２０４）、ステップ１１０で識別子を検出していない（ステップ２０３でＮＯ）と、処理を終了する。
【００８５】
なお、廃棄装置２０に規制変更指示部１６を設けて、当該規制変更指示部１６で規制変更指示を受け付けると、画像形成装置１０に規制変更を指示するように構成してもよい。
【００８６】
ところで実施例１では、規制対象事象の発生後、印刷出力が指示された印刷情報（ファイルなど）の印刷出力完了を待つことなく、画像形成を停止して印刷出力を規制しているが、複数の印刷物を印刷出力する印刷情報では、パージが発生した画像や、サンプルプリントが行われた画像を特定して印刷出力を規制することも可能であり、以下、実施例２を用いて詳細に説明する。
【実施例２】
【００８７】
図７は、本実施例における画像形成装置の処理の流れの一例を示すフローチャートである。
【００８８】
まず、印刷出力の指示を受け付ける（ステップ３００）と、画像形成部１１に搬送される用紙から識別子検出部１２で識別子を順次検出し（ステップ３０１でＹＥＳ）、識別子格納部１５に識別子を格納する（ステップ３０２）。
【００８９】
一方、ステップ３０１で識別子が検出されない（ステップ３０１でＮＯ）と、識別子付与部１３で用紙に識別子を順次付与すると共に、用紙に識別子を記録するための処理を行い（ステップ３０３）、用紙に付与した識別子を識別子格納部１５に格納する（ステップ３０２）。
【００９０】
次に、画像形成部１１で印刷出力を開始して（ステップ３０４）、規制対象事象の発生を監視し（ステップ３０５）、規制対象事象（ジャムやパージ、サンプルプリントなど）が発生することなく、印刷出力が行われる（ステップ３０６）と、搬出検出部１４で用紙の識別子を検出して、搬出検出部１４で検出した識別子を識別子格納部１５から削除し（ステップ３０７）、印刷出力が完了したか否かの判断を行う（ステップ３０８）。
【００９１】
また、ステップ３０５でサンプルプリントやパージの発生を検出する（ステップ３０９）と、サンプルプリント用紙やパージシートに画像形成された情報（画像情報）を用紙の識別子と関連付けて識別子格納部１５に格納し（ステップ３１０）、印刷出力が完了したか否かの判断を行う（ステップ３０８）。
【００９２】
そして、印刷出力が完了していないと判断する（ステップ３０８でＮＯ）と、規制対象事象の発生を制御部１７で監視し（ステップ３０５）、印刷出力が完了したと判断する（ステップ３０８でＹＥＳ）と、ステップ３１０で画像情報と関連付けられた識別子が廃棄装置２０から通知されていたか否かの判断を行う（ステップ３１１）。
【００９３】
ここで、識別子が通知されていた場合（ステップ３１１でＹＥＳ）は、当該識別子を識別子格納部１５から削除すると共に、当該識別子と関連付けられていた画像情報に基づいて印刷出力するための処理を開始し、画像形成部１１に搬送される用紙から識別子を検出する（ステップ３０１）。
【００９４】
また、識別子が通知されていない場合（ステップ３１１でＮＯ）は、識別子格納部１５に格納されている識別子があるか否かの判断を行い（ステップ３１２）、格納中の識別子がない場合（ステップ３１２でＮＯ）は、処理を終了し、格納中の識別子がある場合（ステップ３１２でＹＥＳ）は、画像形成を停止し（ステップ３１３）、規制対象事象の発生を所定の通知先に通知する通知設定があるか否かの判断を行う（ステップ３１４）。
【００９５】
一方、ステップ３０５でジャム発生を検出する（ステップ３１５）と、画像形成を停止し（ステップ３１３）、通知設定があるか否かの判断を行う（ステップ３１４）。
【００９６】
ここで、通知設定がないと判断する（ステップ３１４でＮＯ）と、未使用用紙の識別子が識別子格納部１５に格納されているか否かの判断を行い（ステップ３１６）、通知設定があると判断する（ステップ３１４でＹＥＳ）と、通信部１８で所定の通知先に規制対象事象の発生を通知し（ステップ３１７）、未使用用紙の識別子が識別子格納部１５に格納されているか否かの判断を行う（ステップ３１６）。
【００９７】
そして、未使用用紙の識別子が格納されていないと判断する（ステップ３１６でＮＯ）と、規制変更指示を待ち（ステップ３１７）、未使用用紙の識別子が格納されている（ステップ３１６でＹＥＳ）と、未使用用紙の識別子を削除して（ステップ３１８）、規制変更指示を待つ（ステップ３１７）。
【００９８】
規制変更指示部１６で規制を変更する旨の指示を受け付ける（ステップ３１７でＹＥＳ）と、識別子格納部１５に格納されている識別子を削除し（ステップ３１９）、画像形成停止を解除する（ステップ３２０）。
【００９９】
一方、ステップ３１７で規制変更指示を受けず（ステップ３１７でＮＯ）に、廃棄装置２０から識別子を受信し（ステップ３２１）、廃棄装置２０から受信した識別子と、識別子格納部１５に格納されている識別子とが一致する（ステップ３２２でＹＥＳ）と、当該識別子を識別子格納部１５から削除し（ステップ３２３）、識別子が一致しない場合（ステップ３２２でＮＯ）は、規制変更指示の受け付けを待つ（ステップ３１７）。
【０１００】
ステップ３２３で識別子を削除した後、識別子格納部１５に識別子が残っている（未処理用紙あり）（ステップ３２４でＹＥＳ）と、規制変更指示の受け付けを待ち（ステップ３１７）、識別子が残っていない（未処理用紙なし）（ステップ３２４でＮＯ）と、画像形成の停止を解除する（ステップ３２０）。
【０１０１】
なお、本実施例では、ステップ３０１で、画像形成部に搬送される複数の用紙から識別子を順次検出して格納しているが、実施例１と同様に、画像形成部１１で印刷出力を行う度に用紙から識別子を検出することも可能であり、この際には、ステップ３０８で印刷出力が完了していない（ステップ３０８でＮＯ）と判断した後、ステップ３０１で用紙から識別子を検出してもよい。
【０１０２】
また、ステップ３１０で用紙の識別子と画像情報とを関連付ける方法としては、例えば、画像形成部に用紙を搬送するタイミングと画像形成のタイミングから、用紙に画像形成する画像を特定し、当該画像を特定することが可能な情報を識別子と関連付けて格納するなど、用紙に画像形成された画像情報を特定し、当該用紙と関連付けることが可能な方法であれば、任意の方法を用いることができる。
【０１０３】
ステップ３１１では、例えば、印刷出力実施中に廃棄装置２０から受信した識別子を順次格納し、印刷出力完了後にステップ３１０で画像情報と関連付けた識別子と比較するなど、印刷出力実施中に発生したサンプルプリント用紙やジャムシートが既に廃棄されたか否かを判断することが可能な任意の方法を用いることができる。
【０１０４】
ステップ３１６で、未使用用紙の識別子を判断する方法としては、例えば、用紙を搬送するタイミングと、画像を形成するタイミングに基づいて、未使用用紙を判断することが可能な任意の方法を用いることができる。
【０１０５】
上記各実施例では、画像形成を停止し（印刷出力を規制）、ジャム用紙などを廃棄した後、画像形成停止を解除（印刷出力の規制を変更）しているが、画像形成装置における印刷出力自体を規制する方法に限られるものではなく、例えば、規制対象事象が発生した印刷情報（ファイル）単位で印刷出力を規制することも可能であり、以下、実施例３を用いて詳細に説明する。
【実施例３】
【０１０６】
図８は、本実施例における画像形成装置の処理の流れの一例を示すフローチャートである。
【０１０７】
まず、印刷出力の指示を受け付ける（ステップ４００）と、識別子格納部１５を検索し、印刷出力が指示された印刷情報（ファイル）を示す情報（例えば、ファイル名や印刷情報の識別子など）が格納されているか否かの判断を行い（ステップ４０１）、印刷情報を示す情報（ファイル情報）が格納されていると判断する（ステップ４０１でＹＥＳ）と、処理を終了し、ファイル情報が格納されていないと判断する（ステップ４０１でＮＯ）と、画像形成部１１に搬送される用紙から識別子検出部１２で識別子を順次検出し（ステップ４０２でＹＥＳ）、識別子格納部１５に識別子を格納する（ステップ４０３）。
【０１０８】
また、ステップ４０２で識別子が検出されない（ステップ４０２でＮＯ）と、識別子付与部１３で用紙に識別子を付与すると共に、用紙に識別子を記録するための処理を行い（ステップ４０４）、用紙に付与した識別子を識別子格納部１５に格納する（ステップ４０３）。
【０１０９】
次に、画像形成部１１で印刷出力を開始して（ステップ４０５）、規制対象事象の発生を監視し（ステップ４０６）、規制対象事象（ジャムやパージ、サンプルプリントなど）が発生することなく、印刷出力が行われる（ステップ４０７）と、搬出検出部１４で用紙の識別子を検出し、搬出検出部１４で検出した識別子を識別子格納部１５から削除する（ステップ４０８）。
【０１１０】
そして、引き続いて印刷出力を行う場合（ステップ４０９でＮＯ）は、制御部１７で規制対象事象の発生を監視し（ステップ４０６）、印刷出力が完了した場合（ステップ４０９でＹＥＳ）は、処理を終了する。
【０１１１】
一方、ステップ４０６でサンプルプリントやパージの発生を検出する（ステップ４１０）と、サンプルプリントやパージの発生を所定の通知先に通知する通知設定があるか否かの判断を行い（ステップ４１１）、通知設定がある場合（ステップ４１１でＹＥＳ）は、通信部１８で所定の通知先に通知し（ステップ４１２）、印刷出力を実行していたファイルを識別することが可能なファイル情報（例えば、ファイル名やファイルの識別子など）を、規制対象事象が発生した用紙の識別子と関連付けて識別子格納部１５に格納して（ステップ４１３）、処理を終了し、通知設定がない場合（ステップ４１１でＮＯ）は、画像形成を停止する（ステップ４１４）。
【０１１２】
また、ステップ４０６でジャムが発生する（ステップ４１５）と、画像形成を停止する（ステップ４１４）。
【０１１３】
そして、規制変更指示部１６で規制を変更する旨の指示を受け付ける（ステップ４１６でＹＥＳ）と、識別子格納部１５に格納されている識別子を削除し（ステップ４１７）、画像形成停止を解除する（ステップ４１８）。
【０１１４】
一方、規制変更指示部１６で規制変更指示を受けず（ステップ４１６でＮＯ）に、廃棄装置２０から識別子を受信する（ステップ４１９）と、廃棄装置２０から受信した識別子と、識別子格納部１５に格納されている識別子とが一致するか否かの判断を行い（ステップ４２０）、識別子が一致しない（ステップ４２０でＮＯ）と、規制変更指示の受け付けを待ち（ステップ４１６）、識別子が一致する（ステップ４２０でＹＥＳ）と、当該識別子、及び識別子と関連付けられたファイル情報を識別子格納部１５から削除し（ステップ４２１）、識別子格納部１５に識別子が残っている（未処理用紙あり）（ステップ４２２でＹＥＳ）と、規制変更指示の受け付けを待ち（ステップ４１６）、識別子が残っていない（未処理用紙なし）（ステップ４２２でＮＯ）と、画像形成停止を解除する（ステップ４１８）。
【０１１５】
なお、本実施例では、ステップ４０２で、画像形成部に搬送される複数の用紙から識別子を順次検出して格納しているが、実施例１と同様に、画像形成部１１で印刷出力を行う度に用紙から識別子を検出することも可能であり、この際には、ステップ４０９で印刷出力が完了していない（ステップ４０９でＮＯ）と判断した後、ステップ４０２で用紙から識別子を検出してもよい。
【０１１６】
また、ステップ４１６で規制変更指示を受け付ける際には、例えば、図９に示すように、規制を変更する印刷情報（ファイル）を指定することが可能なＵＩなどを用いて、規制対象事象が発生した印刷情報毎に規制変更指示を行ってもよい。
【０１１７】
さらに、正常に印刷出力された用紙（媒体）の識別子を印刷情報と関連付けて格納し、規制対象事象が発生した印刷情報に加えて、正常に印刷出力された印刷情報の印刷出力も規制するように構成してもよい。
【０１１８】
ところで本実施例では、画像形成装置で、パージやジャム、サンプルプリントなどの規制対象事象の発生や、規制対象事象が発生したパージシートやジャム用紙、サンプルプリント用紙などの廃棄を管理して印刷出力を規制しているが、図１０に一例を示すように、画像形成装置１０と廃棄装置２０との間に、用紙の廃棄などを管理する管理装置３０を設けて、印刷出力の規制を行うことも可能であり、以下、実施例を用いて詳細に説明する。
【実施例４】
【０１１９】
図１０は、本実施例における画像形成システムの一例を示す機能ブロック図である。同図に示すように、本実施例における画像形成システムは、画像形成装置１０及び廃棄装置２０と、管理装置３０をＬＡＮやシリアルケーブルなどの有線又は無線の通信手段で接続している。
【０１２０】
また、画像形成装置１０は、画像形成部１１と、識別子検出部１２と、識別子付与部１３と、搬出検出部１４と、画像形成装置制御部１９とを具備して構成されている。
【０１２１】
ここで、画像形成装置制御部１９は、画像形成装置１０全体を制御するための処理を行う。具体的には、例えば、画像形成部１１に画像形成を指示し、画像形成部１１で規制対象事象が発生すると、管理装置３０に通知する。また、識別子検出部１２や搬出検出部１４で検出、又は識別子付与部１３で付与した識別子を管理装置３０に送信する。
【０１２２】
なお、図１と共通な機能を果たす部分には、図１で使用した符号と同一の符号を付して、その詳細な説明を省略する。
【０１２３】
また、画像形成装置１０は、ＲＡＭやＲＯＭ、ＨＤＤなどの記憶装置と、ＣＰＵなどの演算装置とを備え、識別子付与部１３、画像形成装置制御部１９は、記憶装置に格納されているプログラムを演算装置で順次読み出して処理することにより実現されるものである。さらに、プログラムは、ＣＤＲＯＭなどの記憶媒体に格納して提供することや、ネットワークなどの通信手段を介して提供することが可能である。
【０１２４】
上記構成を用いて本実施例における画像形成装置１０は、画像形成装置制御部１９で、管理装置３０から印刷指示を受信すると、画像形成部１１に印刷出力を指示し、画像形成部１１は、給紙トレイから用紙を給紙し、識別子検出部１２は、画像形成部１１に搬送される用紙から識別子を検出し、画像形成装置制御部１９は、識別子検出部１２で検出した識別子を管理装置３０に送信する。
【０１２５】
ここで、識別子検出部１２で識別子を検出することができなかった場合は、識別子付与部１３で識別子を付与し、画像形成装置制御部１９は、識別子付与部１３で付与された識別子を管理装置３０に送信する。なお、用紙が予め識別子を備えているか否かに関わらず、識別子付与部１３で識別子を付与してもよい。
【０１２６】
そして、画像形成部１１は、用紙に画像を形成して排紙トレイに排紙し、搬出検出部１４は、画像が形成された用紙から識別子を検出し、画像形成装置制御部１９は、搬出検出部１４で検出した識別子を管理装置３０に送信する。
【０１２７】
一方、ジャムやパージ、サンプルプリントなどの規制対象事象が画像形成部１１で発生すると、画像形成装置制御部１９は、規制対象事象の発生を管理装置３０に通知する。
【０１２８】
管理装置３０は、識別子格納部１５と、規制変更指示部１６と、通信部１８と、管理制御部３１を具備して構成されている。
【０１２９】
管理制御部３１は、管理装置３０全体を制御するための処理を行う。具体的には、例えば、画像形成装置１０から受信した識別子を識別子格納部１５に格納し、廃棄装置２０から受信した識別子を識別子格納部１５から削除する。また、規制対象事象が発生した旨が画像形成装置１０から通知されると、必要に応じて画像形成の停止を画像形成装置１０に指示した後、規制対象事象によって発生した印刷物（用紙）が廃棄装置２０で廃棄されるまで、画像形成装置１０に対する印刷指示を停止する。
【０１３０】
なお、管理装置３０は、ＲＡＭやＲＯＭ、ＨＤＤなどの記憶装置と、ＣＰＵなどの演算装置とを備え、規制変更指示部１６、管理制御部３１は、記憶装置に格納されているプログラムを演算装置で順次読み出して処理することにより実現されるものである。また、プログラムは、ＣＤＲＯＭなどの記憶媒体に格納して提供することや、ネットワークなどの通信手段を介して提供することが可能である。
【０１３１】
上記構成を用いて本実施例における管理装置３０は、図示しない操作端末を介してユーザなどからの印刷指示を管理制御部３１で受け付けると、管理制御部３１は、画像形成装置に印刷出力を指示し、識別子検出部１２で検出、又は識別子付与部１３で付与した識別子を画像形成装置１０から受信すると、受信した識別子を識別子格納部１５に格納し、排紙管理部１５で検出した識別子を画像形成装置１０から受信すると、受信した識別子を識別子格納部１５から削除する。
【０１３２】
また、画像形成装置１０から規制対象事象の発生が通知されると、管理制御部３１は、発生した規制対象事象が、サンプルプリントやパージなど、ジャムのように画像形成を中断する必要がない規制対象事象の場合は、印刷中止を画像形成装置１０に指示した後、画像形成装置１０に対する印刷指示を停止する。
【０１３３】
そして、廃棄装置２０から識別子を受信すると、管理制御部３１は、受信した識別子を識別子格納部１５から削除し、規制対象事象の発生に伴って識別子格納部１５から消去されずに格納されたままの識別子を全て削除すると、画像形成装置１０への印刷指示を再開する。
【０１３４】
一方、印刷出力の規制中に規制変更指示部１６で規制の変更指示を受け付けると、管理制御部３１は、規制対象事象の発生に伴って識別子格納部１５から消去されずに格納されたままの識別子を全て削除し、画像形成装置１０への印刷通知を再開する。
【０１３５】
上記構成を用いて本実施例における画像形成システムは、画像形成装置１０の画像形成部１１でジャムやパージ、サンプルプリントなどの規制対象事象が発生すると、画像形成装置１０に対する管理装置３０からの印刷指示を停止し、ジャム用紙やパージシート、サンプルプリント用紙など、規制対象事象に伴って発生した印刷物が廃棄装置２０で廃棄されると、管理装置３０から画像形成装置１０への印刷指示を再開する。
【０１３６】
図１１は、本実施例における管理装置の処理の流れの一例を示すフローチャートである。
【０１３７】
まず、印刷出力の指示を受け付ける（ステップ５００）と、識別子格納部１５を検索して、格納中の識別子があるか否かの判断を行い（ステップ５０１）、格納中の識別子があると判断する（ステップ５０１でＹＥＳ）と、処理を終了し、格納中の識別子がないと判断する（ステップ５０１でＮＯ）と、画像形成部１１に印刷出力を指示する（ステップ５０２）。
【０１３８】
次に、画像形成部１１に搬送される用紙の識別子が画像形成装置１０から通知されるのを待ち（ステップ５０３）、識別子が通知される（ステップ５０３でＹＥＳ）と、識別子格納部１５に識別子を格納して（ステップ５０４）、規制対象事象の発生を監視する（ステップ５０５）。
【０１３９】
そして、規制対象事象（ジャムやパージの、サンプルプリントなど）の発生が画像形成装置１０から通知されず（ステップ５０６）に、搬出検出部１４で検出した識別子を受信すると、識別子格納部１５から削除して（ステップ５０７）、印刷出力が完了したか否かの判断を行い（ステップ５０８）、印刷出力が完了している（引き続いて印刷出力を行わない）と判断する（ステップ５０８でＹＥＳ）と、処理を終了し、印刷出力が完了していない（引き続いて印刷出力を行う）と判断する（ステップ５０８でＮＯ）と、画像形成部１１に搬送される用紙の識別子が画像形成装置１０から通知されるのを待つ（ステップ５０３）。
【０１４０】
一方、ステップ５０５でサンプルプリントの印刷出力やパージの発生が通知される（ステップ５０９）と、規制対象事象の発生を所定の通知先に通知する通知設定がある（ステップ５１０でＹＥＳ）と、発生した規制対象事象を通信部１８で所定の通知先に通知して（ステップ１１１）、画像形成部１１に搬送される用紙の識別子が画像形成装置１０から通知されるのを待ち（ステップ５０３）、通知設定がない（ステップ５１０でＮＯ）と、印刷中止を画像形成装置１０に指示し（ステップ５１２）、規制変更指示を待つ（ステップ５１３）。
【０１４１】
また、ステップ５０５でジャムの発生が通知される（ステップ５１４）と、規制変更指示を待つ（ステップ５１３）。
【０１４２】
そして、規制を変更する旨の指示（規制変更指示）を規制変更指示部１６で受け付ける（ステップ５１３でＹＥＳ）と、識別子格納部１５に格納されている識別子を削除して（ステップ５１５）、処理を終了し、規制変更指示を受け付けず（ステップ５１３でＮＯ）に、廃棄装置２０から識別子を受信する（ステップ５１６）と、廃棄装置２０から受信した識別子と、識別子格納部１５に格納されている識別子とが一致するか否かの判断を行い（ステップ５１７）、識別子が一致しないと判断する（ステップ５１７でＮＯ）は、規制変更指示の受け付けを待ち（ステップ５１３）、識別子が一致すると判断する（ステップ５１７でＹＥＳ）は、当該識別子を識別子格納部１５から削除する（ステップ５１８）。
【０１４３】
ここで、識別子格納部１５に格納されている識別子が残っている（未処理の用紙がある）（ステップ５１９でＹＥＳ）と、規制変更指示の受け付けを待ち（ステップ５１３）、識別子格納部１５に格納されている識別子が残っていない（未処理の用紙がなし）（ステップ５１９でＮＯ）と、処理を終了する。
【０１４４】
なお、本実施例では、ステップ５０３とステップ５０７で交互に識別子を受信しているが、ステップ５０３で受信した識別子を識別子格納部１５に順次格納し、ステップ５０７で受信した識別子を識別子格納部１５から順次削除してもよく、この際には、ステップ５０８で印刷出力が完了していない（ステップ５０８でＮＯ）と判断した後、ステップ５０５で規制対象事象の発生を監視する。
【０１４５】
また、本実施例では、ステップ５１１で規制対象事象の発生を通知した後、ステップ５０３で識別子が通知されるのを待って、印刷を継続しているが、図１３を用いて後述するように、規制対象事象発生通知後（ステップ５１１）、印刷中止を画像形成装置１０に指示して（ステップ５１２）、印刷出力を中止してもよい。
【０１４６】
さらに本実施例では、規制対象事象の種類や通知設定に基づいて処理を異ならせているが、例えば、ステップ５０５で規制対象事象の発生を検出すると、通知設定の有無を判断し（ステップ５１０）、必要に応じて通知を行った（ステップ５１１）後、規制変更指示を待つ（ステップ５１３）など、規制対象事象の種類や通知設定の有無に関わらず、同様の処理を行ってもよい。
【０１４７】
加えて本実施例では、管理者などからの規制変更指示を管理装置３０の規制変更指示部１６で受け付けているが、例えば、画像形成装置１０に規制変更指示部１６を設け、当該規制変更指示部１６で規制変更指示を受け付けて規制変更を管理装置３０に指示するなど、画像形成装置１０側で規制変更の指示を受け付けるように構成してもよい。
【０１４８】
図１２は、本実施例における画像形成装置の処理の流れの一例を示すフローチャートである。
【０１４９】
まず、印刷出力の指示を受け付ける（ステップ６００）と、画像形成部１１に搬送される用紙から識別子検出部１２で識別子を検出し（ステップ６０１でＹＥＳ）、管理装置３０に通知する（ステップ６０２）。
【０１５０】
一方、ステップ６０１で識別子が検出されない（ステップ６０１でＮＯ）と、識別子付与部１３で用紙に識別子を付与すると共に、用紙に識別子を記録するための処理を行い（ステップ６０３）、用紙に付与した識別子を管理装置３０に通知する（ステップ６０２）。
【０１５１】
次に、画像形成部１１で印刷出力を開始して（ステップ６０４）、規制対象事象の発生を監視し（ステップ６０５）、規制対象事象（ジャムやパージ、サンプルプリントなど）が発生することなく、印刷出力が行われる（ステップ６０６）と、搬出検出部１４で用紙の識別子を検出して、搬出検出部１４で検出した識別子を管理装置３０に通知する（ステップ６０７）。
【０１５２】
そして、印刷出力が完了したか否かの判断を行い（ステップ６０８）、印刷出力が完了した場合（ステップ６０８でＹＥＳ）は、処理を終了し、印刷出力が完了していない場合（ステップ６０８でＮＯ）は、画像形成部１１に搬送される用紙の識別子を検出する（ステップ６０１）。
【０１５３】
また、ステップ６０５でサンプルプリントの印刷出力やパージの発生を検出する（ステップ６０９）と、検出した規制対象事象の発生を管理装置３０に通知し（ステップ６１０）、印刷中止が指示される（ステップ６１１でＹＥＳ）と、画像形成部１１の画像形成を中止して（ステップ６１２）、処理を終了し、印刷中止が指示されない（ステップ６１１でＮＯ）と、画像形成部１１に搬送される用紙から識別子検出部１２で識別子を検出する（ステップ６０１でＹＥＳ）。
【０１５４】
一方、ステップ６０５でジャムの発生を検出する（ステップ６１３）と、印刷出力を中止し（ステップ６１４）、ジャム（規制対象事象）の発生を管理装置３０に通知して（ステップ６１５）、処理を終了する。
【０１５５】
ところで、実施例４では、印刷出力中に規制対象事象が発生すると、印刷出力自体を規制しているが、規制対象事象が発生したファイル（印刷情報）の印刷出力を規制することも可能であり、以下、実施例５を用いて詳細に説明する。
【実施例５】
【０１５６】
図１３は、本実施例における管理装置の処理の流れの一例を示すフローチャートである。
【０１５７】
まず、印刷出力の指示を受け付ける（ステップ７００）と、識別子格納部１５を検索し、印刷出力を実行する印刷情報（ファイル）を示す情報（例えば、ファイル名や、印刷情報の識別子など）が格納されているか否かの判断を行い（ステップ７０１）、印刷情報を示す情報（ファイル情報）が格納されている（印刷出力が規制されている）場合（ステップ７０１でＹＥＳ）は、処理を終了し、ファイル情報が格納されていない（印刷出力が規制されていない）場合（ステップ７０１でＮＯ）は、画像形成部１１に印刷出力を指示する（ステップ７０２）。
【０１５８】
次に、画像形成部１１に搬送される用紙の識別子が画像形成装置１０から通知されるのを待ち（ステップ７０３）、識別子が通知される（ステップ７０３でＹＥＳ）と、印刷出力するファイル情報と、通知された識別子を関連付けて識別子格納部１５に格納し（ステップ７０４）、規制対象事象の発生を監視する（ステップ７０５）。
【０１５９】
そして、規制対象事象（ジャムやパージ、サンプルプリントなど）の発生が画像形成装置１０から通知されず（ステップ７０６）に、搬出検出部１４で検出した識別子を受信すると、当該識別子及び当該識別子に関連付けられたファイル情報を識別子格納部１５から削除して（ステップ７０７）、印刷出力が完了したか否かの判断を行い（ステップ７０８）、印刷出力が完了した場合（ステップ７０８でＹＥＳ）は、処理を終了し、印刷出力が完了していない場合（ステップ７０８でＮＯ）は、画像形成部１１に搬送される用紙の識別子が画像形成装置１０から通知されるのを待つ（ステップ７０３）。
【０１６０】
一方、ステップ７０５でサンプルプリントの印刷出力やパージの発生が画像形成装置１０から通知される（ステップ７０９）と、規制対象事象の発生を所定の通知先に通知する通知設定がない（ステップ７１０でＮＯ）と、印刷中止を画像形成装置１０に指示して（ステップ７１１）、規制変更指示を待ち（ステップ７１２）、通知設定がある（ステップ７１０でＹＥＳ）と、発生した規制対象事象を通信部１８で所定の通知先に通知して（ステップ７１３）、印刷中止を画像形成装置１０に指示し（ステップ７１１）、規制変更指示を待つ（ステップ７１２）。
【０１６１】
また、ステップ７０５でジャムの発生が通知される（ステップ７１４）と、規制変更指示を待つ（ステップ７１２）。
【０１６２】
そして、規制を変更する旨の指示（規制変更指示）を規制変更指示部１６で受け付ける（ステップ７１２でＹＥＳ）と、識別子格納部１５に格納されている識別子及びファイル情報を削除して（ステップ７１５）、処理を終了し、規制変更指示を受け付けず（ステップ７１２でＮＯ）に、廃棄装置２０から識別子を受信する（ステップ７１６）と、廃棄装置２０から受信した識別子と、識別子格納部１５に格納されている識別子とが一致するか否かの判断を行い（ステップ７１７）、識別子が一致しないと判断する（ステップ７１７でＮＯ）は、規制変更指示の受け付けを待ち（ステップ７１２）、識別子が一致すると判断する（ステップ７１７でＹＥＳ）は、当該識別子、及び当該識別子と関連付けられたファイル情報を識別子格納部１５から削除する（ステップ７１８）。
【０１６３】
ここで、識別子格納部１５に格納されている識別子が残っている（未処理の用紙がある）（ステップ７１９でＹＥＳ）と、規制変更指示の受け付けを待ち（ステップ７１２）、識別子格納部１５に格納されている識別子が残っていない（未処理の用紙がなし）（ステップ７１９でＮＯ）と、処理を終了する。
【０１６４】
上記各実施例では、印刷出力を行わせないことによって、印刷出力の規制を行っているが、用紙の塗り潰しや裁断など、用紙に画像形成された領収書などの印刷情報を認識困難な状態で印刷物を出力することで、印刷出力を規制することも可能であり、以下、実施例を用いて詳細に説明する。
【実施例６】
【０１６５】
本実施例における画像形成システムは、管理制御部３１で印刷出力の規制を画像形成装置１０に指示し、画像形成装置制御部１９で印刷出力の規制を行う点を除き、図１０に示した実施例４の画像形成システムと同様である。
【０１６６】
上記構成を用いて本実施例における画像形成装置１０は、画像形成装置制御部１９で、管理装置３０から印刷指示を受信すると、画像形成部１１に印刷出力を指示し、画像形成部１１は、給紙トレイから用紙を給紙し、識別子検出部１２は、画像形成部１１に搬送される用紙から識別子を検出し、画像形成装置制御部１９は、識別子検出部１２で検出した識別子を管理装置３０に送信する。
【０１６７】
ここで、識別子検出部１２で識別子を検出することができなかった場合は、識別子付与部１３で識別子を付与し、画像形成装置制御部１９は、識別子付与部１３で付与された識別子を管理装置３０に送信する。なお、用紙が予め識別子を備えているか否かに関わらず、識別子付与部１３で識別子を付与してもよい。
【０１６８】
そして、画像形成部１１は、用紙に画像を形成して排紙トレイに排紙し、搬出検出部１４は、画像が形成された用紙から識別子を検出し、画像形成装置制御部１９は、搬出検出部１４で検出した識別子を管理装置３０に送信する。
【０１６９】
一方、印刷出力を規制する規制対象事象が画像形成部１１で発生すると、画像形成装置制御部１９は、規制対象事象の発生を管理装置３０に通知し、印刷出力の規制が管理装置３０から指示されると、画像形成装置制御部１９は、規制を開始し、管理装置３０から規制の変更が指示されると、実施中の規制を変更する。
【０１７０】
上記構成を用いて本実施例における管理装置３０は、図示しない操作端末を介してユーザなどからの印刷指示を管理制御部３１で受け付けると、管理制御部３１は、画像形成装置に印刷出力を指示し、識別子検出部１２で検出、又は識別子付与部１３で付与した識別子を画像形成装置１０から受信すると、受信した識別子を識別子格納部１５に格納し、排紙管理部１５で検出した識別子を画像形成装置１０から受信すると、受信した識別子を識別子格納部１５から削除する。
【０１７１】
また、画像形成装置１０から規制対象事象の発生が通知されると、管理制御部３１は、印刷出力の規制を画像形成装置１０に指示する。
【０１７２】
そして、廃棄装置２０から識別子を受信すると、管理制御部３１は、受信した識別子を識別子格納部１５から削除し、規制対象事象の発生に伴って識別子格納部１５から消去されずに格納されたままの識別子を全て削除すると、画像形成装置１０に規制の変更を指示する。
【０１７３】
一方、印刷出力の規制中に規制変更指示部１６で規制の変更指示を受け付けると、管理制御部３１は、規制対象事象の発生に伴って識別子格納部１５から消去されずに格納されたままの識別子を全て削除し、画像形成装置１０に規制の変更を指示する。
【０１７４】
上記構成を用いて本実施例における画像形成システムは、画像形成装置１０の画像形成部１１でジャムやパージ、サンプルプリントなどの規制対象事象が発生すると、管理装置３０から画像形成装置１０に印刷出力の規制を指示することにより、画像形成装置木１０で印刷出力を規制し、ジャム用紙やパージシート、サンプルプリント用紙など、規制対象事象に伴って発生した印刷物が廃棄装置２０で廃棄されると、管理装置３０から画像形成装置１０に規制の変更を指示することによって印刷出力の規制を変更する。
【０１７５】
図１４は、本実施例において、画像形成装置に印刷出力を指示する際の管理装置における処理の流れの一例を示すフローチャートである。
【０１７６】
まず、ユーザなどから印刷出力の指示を受け付ける（ステップ８００）と、画像形成装置１０に印刷出力を指示し（ステップ８０２）、画像を形成する用紙の識別子が画像形成装置１０から通知される（ステップ８０２でＹＥＳ）と、通知された識別子を識別子格納部１５に格納する（ステップ８０３）。
【０１７７】
そして、規制対象事象の発生が通知されず（ステップ８０４でＮＯ）、印刷出力された用紙の識別子が通知されると、通知された識別子を識別子格納部１５から削除し（ステップ８０５）、印刷出力が完了した場合（ステップ８０６でＹＥＳ）は、処理を終了し、印刷出力が完了していない場合（ステップ８０６でＮＯ）は、画像を形成する用紙の識別子が画像形成装置１０から通知されるのを待つ（ステップ８０２）。
【０１７８】
一方、ステップ８０４で規制対象事象の発生が通知される（ステップ８０４でＹＥＳ）と、印刷出力の規制を画像形成装置１０に指示し（ステップ８０７）、規制対象事象の発生を通知する通知設定がない場合（ステップ８０８でＮＯ）は、処理を終了し、通知設定がある場合（ステップ８０８でＹＥＳ）は、発生した規制対象事象を所定の通知先に通知する（ステップ８０９）。
【０１７９】
図１５は、本実施例において、画像形成装置に規制の変更を指示する際の管理装置における処理の流れの一例を示すフローチャートである。
【０１８０】
まず、管理者などによる規制変更指示や、廃棄装置２０からの識別子の通知を待ち（ステップ９００）、規制変更指示を受け付ける（ステップ９０１）と、識別子格納部１５に格納している識別子を削除し（ステップ９０２）、画像形成装置１０に規制の変更を指示する（ステップ９０３）。
【０１８１】
一方、ステップ９００で廃棄装置２０から識別子を受信する（ステップ９０４）と、識別子格納部１５に格納中の識別子と一致するか否かの判断を行い（ステップ９０５）、識別子が一致しない場合（ステップ９０５でＮＯ）は、規制変更指示や識別子の通知を待ち（ステップ９００）、識別子が一致する場合（ステップ９０５でＹＥＳ）は、一致した識別子を格納中の識別子から削除する（ステップ９０６）。
【０１８２】
そして、識別子格納部１５に格納中の識別子がある（ステップ９０７でＹＥＳ）と、規制変更指示や識別子の通知を待ち（ステップ９００）、格納中の識別子がない（ステップ９０７でＮＯ）と、画像形成装置１０に規制の変更を指示する（ステップ９０３）。
【０１８３】
図１６は、画像形成装置の処理の流れの一例を示すフローチャートである。
【０１８４】
まず、管理装置３０から印刷出力の指示を受け付け（ステップ１００１）、印刷出力が規制されている（画像形成停止）（ステップ１００２でＹＥＳ）と、処理を終了し、規制が行われていない（ステップ１００２でＮＯ）と、画像を形成する用紙から識別子を検出し（ステップ１００３でＹＥＳ）、管理装置３０に通知する（ステップ１００４）。
【０１８５】
一方、ステップ１００３で識別子が検出されない（ステップ１００３でＮＯ）と、用紙に識別子を付与すると共に、用紙に識別子を記録するための処理を行い（ステップ１００５）、用紙に付与した識別子を管理装置３０に通知する（ステップ１００４）。
【０１８６】
次に、印刷出力を開始して（ステップ１００６）、規制対象事象の発生を監視し（ステップ１００７）、規制対象事象が発生することなく印刷出力が行われる（ステップ１００７でＮＯ）と、画像を形成した用紙から識別子を検出して、管理装置３０に通知し（ステップ１００８）、印刷出力が完了した場合（ステップ１００９でＹＥＳ）は、処理を終了し、印刷出力が完了していない場合（ステップ１００９でＮＯ）は、続いて画像を形成する用紙から識別子を検出する（ステップ１００３）。
【０１８７】
また、ステップ１００７で規制対処事象が発生する（ステップ１００７でＹＥＳ）と、規制対象事象の発生を管理装置３０に通知し（ステップ１０１０）、印刷出力の規制が指示される（ステップ１０１１でＹＥＳ）と、画像形成装置制御部１９は、規制を開始し（ステップ１０１２）、規制が指示されない（ステップ１０１１でＮＯ）と、続いて画像を形成する用紙から識別子を検出する（ステップ１００３）。
【０１８８】
なお、規制の変更は、管理装置３０から規制変更指示を受信することきっかけとして行うが、画像形成装置１０に規制変更指示部１６を設けて、規制変更指示を直接受け付けてもよい。
【０１８９】
ところで図１６では、画像形成を停止することで印刷出力を規制しているが、例えば、図１７に示すように、用紙に画像を形成した後に印刷出力が記載されているか否かの判断を行い（ステップ１００２）、印刷出力が規制中である（ステップ１００２でＹＥＳ）と、画像形成済みの用紙に、塗り潰しや裁断などの規制処理を行って出力する（ステップ１１０１）など、画像を形成した用紙に塗り潰しや裁断などの処理を施すことで、印刷出力を規制してもよい。
【０１９０】
また、例えば、印刷出力が規制中である旨など、印刷が指示された印刷情報に代えて印刷出力する印刷情報（代替印刷情報）を格納する代替印刷情報格納部を画像形成装置に設け、図１８に示すように、印刷出力規制時に印刷指示を受け付ける（ステップ１００２でＹＥＳ）と、印刷が指示された印刷情報に代えて印刷出力する印刷情報（代替印刷情報）を、代替印刷情報格納部から抽出し（ステップ１２０１）、代替印刷情報に基づいて画像形成を行う（ステップ１２０２）ことにより、印刷出力が指示された印刷物の印刷出力を規制してもよい。
【０１９１】
代替印刷情報を用いた印刷出力の規制は、管理装置側で行うことも可能であり、以下、実施例を用いて詳細に説明する。
【実施例７】
【０１９２】
図１９は、本実施例における画像形成システムの構成の一例を示す機能ブロック図である。同図に示すように、管理装置３０に代替印刷情報格納部３２を設けた点を除き、図１０に記載した画像形成システムと同様であり、図１０と共通な機能を果たす部分には、図１０で使用した符号と同一の符号を付して、その詳細な説明を省略する。
【０１９３】
上記構成を用いて本実施例における管理装置３０は、ユーザなどからの印刷指示を管理制御部３１で受け付けると、管理制御部３１は、識別子格納部１５を検索し、格納中の識別子があると、代替印刷情報格納部３２から印刷情報を抽出し、印刷出力が指示された印刷情報に代えて画像形成装置に印刷出力を指示し、格納中の識別子がない場合は、印刷出力が指示された印刷情報の印刷出力を画像形成装置１０に指示する。
【０１９４】
そして、識別子検出部１２で検出、又は識別子付与部１３で付与した識別子を画像形成装置１０から受信すると、受信した識別子を識別子格納部１５に格納し、排紙管理部１５で検出した識別子を画像形成装置１０から受信すると、受信した識別子を識別子格納部１５から削除する。
【０１９５】
また、規制変更指示部１６で規制の変更指示を受け付けると、管理制御部３１は、識別子格納部１５に格納されている識別子を全て削除する。
【０１９６】
図２０は、本実施例において、画像形成装置１０に印刷出力を指示する際の管理装置３０における処理の流れの一例を示すフローチャートである。
【０１９７】
まず、ユーザなどから印刷出力の指示を受け付ける（ステップ１３００）と、識別子格納部１５に格納中の識別子があるか否かの判断を行い（ステップ１３０１）、格納中の識別子がある（ステップ１３０１でＹＥＳ）と、代替印刷情報格納部３２から印刷情報（代替印刷情報）を抽出し（ステップ１３０２）、代替印刷情報に基づく印刷出力を画像形成装置１０に指示する（ステップ１３０３）。
【０１９８】
また、ステップ１３０１で、識別子格納部１５に格納中の識別子がないと判断する（ステップ１３０１でＮＯ）と、印刷出力が指示された印刷情報に基づく印刷出力を画像形成装置１０に指示し（ステップ１３０４）、画像を形成する用紙の識別子が画像形成装置１０から通知される（ステップ１３０５でＹＥＳ）と、通知された識別子を識別子格納部１５に格納する（ステップ１３０６）。
【０１９９】
そして、規制対象事象の発生が通知されず（ステップ１３０７でＮＯ）、印刷出力された用紙の識別子が画像形成装置１０から通知されると、通知された識別子を識別子格納部１５から削除し（ステップ１３０８）、印刷出力が完了した場合（ステップ１３０９でＹＥＳ）は、処理を終了し、印刷出力が完了していない場合（ステップ１３０９でＮＯ）は、画像を形成する用紙の識別子が画像形成装置１０から通知されるのを待つ（ステップ１３０５）。
【０２００】
一方、ステップ１３０７で規制対象事象の発生が通知される（ステップ１３０７ＹＥＳ）と、規制対象事象の発生を通知する通知設定があるか否かの判断を行い（ステップ１３１０）、通知設定がないと判断する（ステップ１３１０でＮＯ）と、処理を終了し、通知設定があると判断する（ステップ１３１０でＹＥＳ）と、発生した規制対象事象を所定の通知先に通知する（ステップ１３１１）。
【０２０１】
なお、本実施例では、代替となる印刷情報に基づく印刷出力を画像形成装置に指示することで、印刷出力を規制しているが、印刷出力の指示自体を行わないことで、印刷出力を規制してもよい。
【０２０２】
また、印刷指示を受け付けた際に、識別子が識別子格納部に格納されている場合は、印刷出力が規制されている旨を所定の通知先に通知するように構成してもよい。
【図面の簡単な説明】
【０２０３】
【図１】実施例１における画像形成システムの構成の一例を示す機能ブロック図である。
【図２】規制変更指示を受け付ける際のＵＩの一例を示す図である。
【図３】ユーザから印刷指示を受け付ける際のＵＩの一例を示す図である。
【図４】画像形成装置内に廃棄装置の機能を設けた画像形成システムの構成の一例を示す図である。
【図５】実施例１における画像形成装置の処理の流れの一例を示すフローチャートである。
【図６】実施例１における廃棄装置の処理の流れの一例を示すフローチャートである。
【図７】実施例２における画像形成装置の処理の流れの一例を示すフローチャートである。
【図８】実施例３における画像形成装置の処理の流れの一例を示すフローチャートである。
【図９】規制変更指示を受け付ける際のＵＩの一例を示す図である。
【図１０】実施例４における画像形成システムの一例を示す機能ブロック図である。
【図１１】実施例４における管理装置の処理の流れの一例を示すフローチャートである。
【図１２】実施例４における画像形成装置の処理の流れの一例を示すフローチャートである。
【図１３】実施例５における管理装置の処理の流れの一例を示すフローチャートである。
【図１４】実施例６において、画像形成装置に印刷出力を指示する際の管理装置における処理の流れの一例を示すフローチャートである。
【図１５】実施例６において、画像形成装置に規制の変更を指示する際の管理装置における処理の流れの一例を示すフローチャートである。
【図１６】実施例６における画像形成装置の処理の流れの一例を示すフローチャートである。
【図１７】画像形成装置の処理の流れの一例を示すフローチャートである。
【図１８】画像形成装置の処理の流れの一例を示すフローチャートである。
【図１９】実施例７における画像形成システムの構成の一例を示す機能ブロック図である。
【図２０】実施例７において、画像形成装置１０に印刷出力を指示する際の管理装置３０における処理の流れの一例を示すフローチャートである。
【符号の説明】
【０２０４】
１０…画像形成装置
１１…画像形成部
１２…識別子検出部
１３…識別子付与部
１４…搬出検出部
１５…識別子格納部
１６…規制変更指示部
１７…制御部
１８…通信部
１９…画像形成装置制御部
２０…廃棄装置
２１…廃棄検出部
３０…管理装置
３１…管理制御部
【図１】
2008018717.tif 000003
【図２】
2008018717.tif 000004
【図３】
2008018717.tif 000005
【図４】
2008018717.tif 000006
【図５】
2008018717.tif 000007
【図６】
2008018717.tif 000008
【図７】
2008018717.tif 000009
【図８】
2008018717.tif 000010
【図９】
2008018717.tif 000011
【図１０】
2008018717.tif 000012
【図１１】
2008018717.tif 000013
【図１２】
2008018717.tif 000014
【図１３】
2008018717.tif 000015
【図１４】
2008018717.tif 000016
【図１５】
2008018717.tif 000017
【図１６】
2008018717.tif 000018
【図１７】
2008018717.tif 000019
【図１８】
2008018717.tif 000020
【図１９】
2008018717.tif 000021
【図２０】
2008018717.tif 000022